(57)【要約】【課題】  ロック時における操作部材の脱落を確実に防止できるコネクタを提供することである。【解決手段】  回動軸部５４の端面に略半円形の突部５５を突設し、操作時に前記回動軸部５４の外周面および前記突部５５の接合面５６が、前記ハウジング１０の腕部２０の対向面に設けた抜け止め用突部２２および突起２３にそれぞれ当接して抜け止めされる。【選択図】図７
2005353469.tif 000002
【特許請求の範囲】
【請求項１】
ハウジング本体の両側面から一対の腕部を対向するように延在したハウジングと、
接触片本体に立設した支柱部を介して操作片を延在し、前記操作片の一端部を挟持部とするとともに、その他端部を被操作部とし、前記ハウジング内に所定のピッチで並設された複数本の接触子と、
両端面に回動軸部を同一の回動軸心上にそれぞれ突設するとともに、前記回動軸部間に前記回動軸部と同一の回動軸心を有する複数のカム部を所定のピッチで一体成形し、前記回動軸部を前記ハウジングの腕部に回動可能に抜け止めした操作部材とからなり、
前記操作部材を押し倒して回動し、ロック状態とすることにより、前記操作部材のカム部が前記接触子の操作片の被操作部を押し上げる一方、前記接触子の操作片の挟持部が前記ハウジング内に挿入されたプリント配線基板の接続部に圧接し、かつ、電気接続するコネクタであって、
前記回動軸部の端面に略半円形の突部を突設し、操作時に前記回動軸部の外周面および前記突部の接合面が、前記ハウジングの腕部の対向面に突設した抜け止め用突部および突起にそれぞれ当接して抜け止めされることを特徴とするコネクタ。
【請求項２】
前記抜け止め用突部および突起が、ロック時に前記回動軸部の外周面および前記突部の接合面に食い込むように作用して脱落を防止するテーパ面を有することを特徴とする請求項１に記載のコネクタ。
【請求項３】
前記接触子の操作片の被操作部が、ロック時における操作部材のカム部に、前記操作部材を外部に押し出そうとする分力を生じないように圧接することを特徴とする請求項１または２に記載のコネクタ。
【発明の詳細な説明】
【技術分野】
【０００１】
本発明はコネクタ、特に、フレキシブルなプリント配線基板（ＦＰＣ）を接続するためのコネクタに関する。
【背景技術】
【０００２】
従来、フレキシブルなプリント配線基板を接続するためのコネクタとしては、例えば、回転ロック方式のコネクタがある（特許文献１参照）。
すなわち、特許文献１にかかるコネクタはハウジング３０の背面両側端部分に凹形の支持部３７，３７が設けられている。そして、操作部材２０の被支持部２７を前記支持部３７に挿入して前記ハウジング３０の背面側に装着することにより、解除位置と接続位置との間で、横向きの回動軸Ｘを中心として回動自在となるように前記操作部材２０をハウジング３０に支持してある。
【特許文献１】特開平１１−３０７１９８号公報
【発明の開示】
【発明が解決しようとする課題】
【０００３】
しかしながら、前述のコネクタは、操作部材２０の被支持部２７を前記ハウジング３０の支持部３７に単に支持することが開示されているにすぎない。このため、装置の小型化に伴って操作部材２０，ハウジング３０が小さくなると、操作部材２０の脱落を防止する支持力が得にくいとともに、前記操作部材２０を操作する際の力加減が容易でない。このため、例えば、前記操作部材２０をロックする際に操作者が過大な操作力を誤って加えることがあり、前記操作部材２０がハウジング３０から脱落するという問題点がある。
【０００４】
本発明は、前記問題点に鑑み、操作する際における操作部材の脱落を確実に防止できるコネクタを提供することを課題とする。
【課題を解決するための手段および発明の効果】
【０００５】
本発明にかかるコネクタは、前記課題を解決すべく、ハウジング本体の両側面から一対の腕部を対向するように延在したハウジングと、接触片本体に立設した支柱部を介して操作片を延在し、前記操作片の一端部を挟持部とするとともに、その他端部を被操作部とし、前記ハウジング内に所定のピッチで並設された複数本の接触子と、両端面に回動軸部を同一の回動軸心上にそれぞれ突設するとともに、前記回動軸部間に前記回動軸部と同一の回動軸心を有する複数のカム部を所定のピッチで一体成形し、前記回動軸部を前記ハウジングの腕部に回動可能に抜け止めした操作部材とからなり、前記操作部材を押し倒して回動し、ロック状態とすることにより、前記操作部材のカム部が前記接触子の操作片の被操作部を押し上げる一方、前記接触子の操作片の挟持部が前記ハウジング内に挿入されたプリント配線基板の接続部に圧接し、かつ、電気接続するコネクタであって、前記回動軸部の端面に略半円形の突部を突設し、操作時に前記回動軸部の外周面および前記突部の接合面が、前記ハウジングの腕部の対向面に突設した抜け止め用突部および突起にそれぞれ当接して抜け止めされる構成としてある。
【０００６】
本発明によれば、ロックする際あるいはロックを解除する際に操作部材の回動軸部および突部の２箇所で前記操作部材がハウジングに抜け止めされるので、従来例よりも操作部材の脱落を確実に防止できる。
【０００７】
本発明にかかる実施形態としては、前記抜け止め用突部および突起が、ロック時に前記回動軸部の外周面および前記突部の接合面に食い込むように作用して脱落を防止するテーパ面を有する構成としてもよい。
本実施形態によれば、ロック時に操作部材を引き出す方向に外力が作用しても、前記テーパ面が操作部材の脱落をより一層確実に防止できる。
【０００８】
本発明にかかる他の実施形態としては、前記接触子の操作片の被操作部が、ロック時における操作部材のカム部に、前記操作部材を外部に押し出そうとする分力を生じないように圧接する構成であってもよい。
本実施形態によれば、ロック時に常時、付勢される操作片のバネ力を原因とする操作部材の脱落を防止でき、信頼性がより一層向上するという効果がある。
【発明を実施するための最良の形態】
【０００９】
本発明にかかる実施形態を図１ないし図８の添付図面に従って説明する。
本実施形態にかかるコネクタは、図１に示すように、ハウジング１０と、支持金具３０と、接触子４０と、操作部材５０とからなるものである。なお、本実施形態にかかるコネクタの外形寸法は、最大巾３．５ｍｍ、最大長さ６．０ｍｍ、最大高さ１．２５ｍｍである。
【００１０】
前記ハウジング１０は、断面略長方形の筒状ハウジング本体１１の両側面から一対の腕部２０，２０を対向するように平行に延在してある。前記ハウジング本体１１は、その両側面に後述する支持金具３０，３０を圧入，保持するために断面Ｔ字形状の圧入溝１２，１２をそれぞれ設けてある。また、前記ハウジング本体１１は、その内部の上下面に後述する接触子４０を圧入，保持する上，下端子溝１３，１４を所定のピッチで対向するようにそれぞれ設けてある。そして、前記上，下端子溝１３，１４と他の前記上，下端子溝１３，１４との間に位置する上下面を連結するようにリブ１５を所定のピッチで一体成形してある（図２Ａ）。さらに、図５Ｄに示すように、前記上，下端子溝１３，１４の間に位置し、かつ、前記リブ１５を連結一体化する保持部１６を一体成形してある。なお、図２Ａおよび図３Ｂに示すように、前記ハウジング１１の腕部２０の基部には、位置規制用爪部１７が背面側に向けて側方に突出している。
【００１１】
前記腕部２０は、図２Ｂに示すように、その先端側の上面に一段低い段部２１を形成してあるとともに、その先端側の対向する内側面に、後述する操作部材５０を回動可能に支持する抜け止め用突部２２をそれぞれ形成してある。前記抜け止め用突部２２は、その下面が後述する操作部材５０を組み付ける際のガイド面２２ａとなっているとともに、その背面側にテーパ面２２ｂを形成してある。さらに、前記腕部２０は、前記抜け止め用突部２２の内側の基部に抜け止め用突起２３を設けてある。そして、前記抜け止め用突部２２および突起２３は、図７Ｃに示すように、正面側に対向する側面をテーパ面２２ｃ，２３ａとしてある。これは、後述する操作部材５０の脱落をより確実に防止するためである。
【００１２】
前記支持金具３０は断面略Ｌ字形状に屈曲した金属板からなり、その垂直部３１の両側端面に係止用突起３２，３２がそれぞれ設けられている。そして、前記ハウジング本体１１の圧入溝１２に前記垂直部３１を下方側から圧入し、前記係止用突起３２を介して抜け止めされる。ついで、前記支持金具３０を図示しないフレキシブルあるいは硬質プリント配線基板上に固着することにより、前記ハウジング１０を前記プリント配線基板に支持できる。
【００１３】
前記接触子４０は、図２Ｃに示すように、弾性金属材から打ち抜いて形成され、その接触子本体４１の中央部から上方に突出する支柱部４２を介して操作片４３が水平方向に延在している。さらに、前記接触子本体４１は一端側に挟持部４１ａを設けてあるとともに、他端側を端子部４１ｂとしてある。さらに、前記支柱部４２と端子部４１ｂとの間に後述する操作部材５０を位置決めするための位置決め用凹部４１ｃを形成してあるとともに、前記支柱部４２の基部に係止用突起４１ｄを設けてある。
【００１４】
そして、図５Ｄに示すように、前記ハウジング本体１１の上，下端子溝１３，１４に前記接触子４０の操作片４３および接触子本体４１をそれぞれ圧入すると、前記ハウジング本体１１に係止爪４１ｅが係止するとともに、前記保持部１６に前記係止用突起４１ｄが係止して抜け止めされる。なお、前記接触子本体４１の先端に位置する挟持部４１ａの浮き上がりを規制するために前記下端子溝１４の一端側に係止部を形成しておいてもよい。
【００１５】
前記操作部材５０は、図２Ｄに示すように、所定のピッチでリブ５１を平行に突設するとともに、最外側に位置する前記リブ５１に隣接するように当接部５２が設けられている。前記当接部５２は前記操作部材５０の正面側への倒れ込みを防止するためのものである。さらに、前記リブ５１の間には、テコの原理で前記接触子４０を駆動するカム部５３を架け渡すように一体成形してある。また、前記当接部５２の側面には回動軸部５４が設けられているとともに、前記回動軸部５４の端面には略半円形の突部５５が側方に突設し、接合面５６が形成されている。なお、回動軸部５４の回動中心と前記カム部５３の回動中心とは同一直線上に位置している。
【００１６】
そして、図５Ａに示すように、前記ハウジング１０の腕部２０に設けた抜け止め用突部２２のガイド面２２ａに前記操作部材５０の接合面５６を当接させて位置決めする。そして、前記操作部材５０の回動軸部５４をテーパ面２２ｂに押し当てることより、前記腕部２０を弾性変形させて前記抜け止め用突部２２を乗り越えさせて嵌合する。そして、前記操作部材５０のカム部５３が接触子４０の位置決め用凹部４１ｃに嵌合して位置決めされ、組み付けが完了する。なお、前記操作部材５０の当接部５２がハウジング１０の位置規制用爪部１７に当接することにより、前記操作部材５０の倒れ込みを防止できる。
【００１７】
ついで、図５Ｄに示すように、前述の構成からなるコネクタの正面側からＦＰＣ６０を挿入し、リブ１５に押し当てて位置決めする。そして、前記操作部材５０を押し倒して回動軸部５４の軸心を中心に回動させると、図８Ｃに示すように、前記カム部５３が起き上がり、操作片４３の被操作部４３ｂを押し上げる。このため、前記支柱部４２を支点として前記操作片４３の挟持部４３ａが接触子本体４１の挟持部４１ａとで前記ＦＰＣ６０を挟持して抜け止めし、かつ、電気接続する。
【００１８】
本実施形態では、図７Ｃに示すように、前記回動軸部５４が抜け止め用突部２２のテーパ面２２ｃに当接するとともに、突部５５の接合面５６が抜け止め用突起２３のテーパ面２３ａに当接する。このとき、接合面５６とテーパ面２３ａとが面接触可能となり、過大な操作力が負荷されても、操作部材５０は抜け落ちにくい。特に、前記テーパ面２２ｃ，２３ａの縁部が回動軸部５４および接合面５６にそれぞれ食い込むように作用する。このため、回動時における前記操作部材５０の脱落事故をより確実に防止できる。
【００１９】
また、図８Ｃに示すように、カム部５３に対する接触子４０の被操作部４３ｂの作用点が前記カム部５３の軸心、すなわち、回動軸部５４の回動軸心に直交するとともに、鉛直線上に位置する。このため、操作片４３のバネ力が水平方向に分力されず、そのバネ力のすべてが鉛直方向に前記カム部５３の軸心上に負荷される。このため、操作部材５０が接触子４０の凹部４１ｃから抜け出にくくなり、操作部材５０がより一層脱落しにくくなるという利点がある。
【００２０】
なお、前記操作部材５０をロックしてＦＰＣ６０を挟持した場合には、図８Ａ，８Ｂに示すように、ハウジング本体１１の上面と操作部材５０の上面とが面一となる。これは、装置の小型化に伴って操作部材５０も小さくなると、前記操作部材５０が動作位置まで確実に変位しているか否かの判断が容易でない。このため、図示しない治具の平坦面で前記操作部材５０を押圧するだけで、前記操作部材５０をロック状態まで確実に変位させることができる。
【００２１】
ついで、前記ＦＰＣ６０を取り外す場合には、前記操作部材５０を前述とは逆方向に引き上げて回動させることにより、前記カム部５３が操作片４３の被操作部４３ｂの押圧力に抗して回動する。このため、操作片４３が元の状態に復帰し、ＦＰＣ６０に対する挟持部４１ａ，４３ａの挟持状態が解除され、前記ＦＰＣ６０をハウジング１１から抜き出すことができる。
【産業上の利用可能性】
【００２２】
本発明にかかるコネクタは、通常の硬質プリント配線基板にも適用できるものである。
【図面の簡単な説明】
【００２３】
【図１】本発明にかかるコネクタの実施形態を示す分解斜視図である。
【図２】図２Ａは図１で示したハウジングの背面図、図２Ｂは図２ＡのＢ−Ｂ線断面図、図２Ｃおよび２Ｄは図１で示した接触子および操作部材をそれぞれ示す斜視図である。
【図３】図３Ａ，３Ｂは図１で示したコネクタのロック前の状態を示す異なる角度から見た斜視図である。
【図４】図４Ａ，４Ｂおよび４Ｃは図３で示したコネクタをそれぞれ示す平面図、正面図、底面図である。
【図５】図５Ａ，５Ｂはハウジングに操作部材を組み付ける前後の状態を示す背面図、図５Ｃは図５Ｂの左側面図、図５Ｄは縦断面図である。
【図６】図１で示したコネクタのロック後の状態を示す斜視図である。
【図７】図７Ａ，７Ｂおよび７Ｃは図６で示したコネクタをそれぞれ示す平面図、正面図、底面図である。
【図８】図８Ａは図６で示したコネクタの背面図、図８Ｂは図８Ａの左側面図、図５Ｄは縦断面図である。
【符号の説明】
【００２４】
１０：ハウジング
１１：ハウジング本体
１２：圧入溝
１３，１４：上，下端子溝
１５：リブ
１６：保持部
１７：位置規制用爪部
２０：腕部
２１：段部
２２：抜け止め用突部
２２ａ：ガイド面
２２ｂ：テーパ面
２２ｃ：テーパ面
２３：抜け止め用突起
２３ａ：テーパ面
３０：支持金具
３１：垂直部
３２：係止用突起
４０：接触子
４１：接触子本体
４１ａ：挟持部
４１ｂ：端子部
４１ｃ：位置決め用凹部
４１ｄ：係止用突起
４１ｅ：係止爪
４２：支柱部
４３：操作片
４３ａ：挟持部
４３ｂ：被操作部
５０：操作部材
５１：リブ
５２：当接部
５３：カム部
５４：回動軸部
５５：突部
５６：接合面
６０：ＦＰＣ
【図１】
2005353469.tif 000003
【図２】
2005353469.tif 000004
【図３】
2005353469.tif 000005
【図４】
2005353469.tif 000006
【図５】
2005353469.tif 000007
【図６】
2005353469.tif 000008
【図７】
2005353469.tif 000009
【図８】
2005353469.tif 000010